(57)【要約】【課題】撓み変形可能な接続部によって鍵を支持する構成において、がたつきを抑えて、円滑に押鍵操作をすることのできる鍵ユニット及び鍵盤楽器を提供する。【解決手段】複数の鍵本体部３１と、複数の鍵本体部３１の一端側にそれぞれ設けられ、鍵本体部３１の押離方向に沿って撓み変形可能な接続部３２と、接続部３２を介して複数の鍵本体部３１を各々押離方向に沿って揺動可能に支持する支持部１１とを有する鍵ブロック１０を複数備え、複数の鍵ブロック１０を、その支持部１１において複数の鍵本体部３１を支持する位置をずらした状態で、各鍵ブロック１０における支持部１１が鍵本体部３１の厚み方向に重なるように配置し、接続部３２の厚み方向の寸法は、鍵本体部３１の厚み方向の寸法よりも小さく、かつ、複数の鍵ブロック１０のうちの少なくとも１つの鍵ブロック１０の接続部３２が鍵本体部３１の厚み方向における中央よりも天面側に設けられている。 【選択図】図２
2019061097.tif 000002
【特許請求の範囲】
【請求項１】
長手方向の一端側に押離操作される作用部を有する複数の鍵本体部と、
前記複数の鍵本体部における前記長手方向の他端側にそれぞれ設けられ、前記鍵本体部の押離方向に沿って撓み変形可能である接続部と、
前記接続部を介して前記複数の鍵本体部を一体的に支持する支持部と、
を有する鍵ブロックを複数備え、
複数の前記鍵ブロックのそれぞれが、前記支持部において前記複数の鍵本体部を支持する位置が互いにずれている状態で、前記支持部が互いに前記鍵本体部の前記押離方向である厚み方向に重なるように配置されており、
前記接続部における前記厚み方向の寸法は、前記鍵本体部における前記厚み方向の寸法よりも小さく、かつ、前記複数の鍵ブロックのうちの少なくとも１つの鍵ブロックの前記接続部は、前記鍵本体部の前記厚み方向における最下部より上に設けられていることを特徴とする鍵ユニット。
【請求項２】
前記接続部における前記鍵本体部の側の前記厚み方向の寸法は、前記鍵本体部における前記接続部の側の前記厚み方向の寸法よりも小さく、かつ、複数の前記鍵ブロックのうちの少なくとも１つの鍵ブロックの前記接続部は、前記鍵本体部の前記厚み方向における中央よりも天面側に設けられていることを特徴とする請求項１に記載の鍵ユニット。
【請求項３】
複数の前記鍵ブロックのうち、少なくとも前記支持部が最も上側に重ねられる鍵ブロックの前記接続部は、前記鍵本体部の天面と同じ高さ、または前記鍵本体部の天面よりも高い位置に設けられていることを特徴とする請求項１又は請求項２に記載の鍵ユニット。
【請求項４】
複数の前記鍵ブロックにおいて、前記鍵本体部の前記厚み方向に対して前記接続部を設ける位置の差は、複数の前記鍵ブロックにおいて、前記支持部を前記厚み方向に重ねる間隔よりも広いことを特徴とする請求項１から請求項３のいずれか一項に記載の鍵ユニット。
【請求項５】
前記接続部のうち、少なくとも一部は、前記支持部との連結部分よりも前記厚み方向の上側に突出するとともに、前記鍵本体部の天面よりも高い位置に配置される突出部となっていることを特徴とする請求項１から請求項４のいずれか一項に記載の鍵ユニット。
【請求項６】
前記厚み方向の最も上側に配置される前記支持部と接続されている前記接続部のうち、少なくとも一部は、前記突出部を備えていることを特徴とする請求項５に記載の鍵ユニット。
【請求項７】
前記接続部は、その幅方向の寸法が前記鍵本体部の幅方向の寸法よりも大きく形成されていることを特徴とする請求項１から請求項６のいずれか一項に記載の鍵ユニット。
【請求項８】
前記接続部は、前記支持部側の厚みよりも前記鍵本体部側の厚みが厚くなるように形成されていることを特徴とする請求項１から請求項７のいずれか一項に記載の鍵ユニット。
【請求項９】
請求項１から請求項８のいずれか一項に記載の鍵ユニットと、
前記鍵ユニットが取り付けられる鍵盤シャーシと、
を備えることを特徴とする鍵盤楽器。
【発明の詳細な説明】
【技術分野】
【０００１】
本発明は、鍵ユニット及び鍵盤楽器に関するものである。
【背景技術】
【０００２】
従来、複数の鍵を接続部を介して揺動可能な状態で支持部に接続することにより鍵ブロックを形成し、これを複数個重ねて一体化した鍵ユニットが知られている（例えば、特許文献１参照）。
このように、複数の鍵をセットにして鍵ユニットとした状態で鍵盤シャーシに固定し、鍵盤として用いる場合には、複数の鍵を個別に組み付ける場合と比べて組み立て効率が向上する。
【０００３】
鍵を支持部に接続する接続部は、撓み変形可能に構成されており、押鍵操作がされた際には、接続部が押鍵方向に沿って変位することで鍵が回動するようになっている。
そして、特許文献1等に記載の従来の構成では、接続部は、鍵における厚み方向の下側に設けられていた。
【先行技術文献】
【特許文献】
【０００４】
【特許文献１】特開２０１６−１７０２８８号公報
【発明の概要】
【発明が解決しようとする課題】
【０００５】
こうした鍵盤楽器の場合、鍵が取り付けられる鍵盤シャーシ側に鍵をガイドして横方向のがたつきを抑制するためのガイド部が設けられており、押鍵操作がされた際には鍵がガイド部に案内されるようになっている。
しかしながら、従来の構成のように、接続部が鍵における厚み方向の下側に設けられている場合、鍵盤シャーシのガイド部も接続部もともに鍵の下側の低い位置で鍵を支持することとなる。
このため、鍵が横方向に安定せず、がたつきを十分に抑えることができないという問題がある。
【０００６】
そこで、本発明は以上のような事情に鑑みてなされたものであり、撓み変形可能な接続部によって鍵を支持する構成において、がたつきを抑えて、円滑に押鍵操作をすることのできる鍵ユニット及び鍵盤楽器を提供することを目的とするものである。
【課題を解決するための手段】
【０００７】
前記課題を解決するために、請求項１に記載の鍵ユニットは、
長手方向の一端側に押離操作される作用部を有する複数の鍵本体部と、
前記複数の鍵本体部における前記長手方向の他端側にそれぞれ設けられ、前記鍵本体部の押離方向に沿って撓み変形可能である接続部と、
前記接続部を介して前記複数の鍵本体部を一体的に支持する支持部と、
を有する鍵ブロックを複数備え、
複数の前記鍵ブロックのそれぞれが、前記支持部において前記複数の鍵本体部を支持する位置が互いにずれている状態で、前記支持部が互いに前記鍵本体部の前記押離方向である厚み方向に重なるように配置されており、
前記接続部における前記厚み方向の寸法は、前記鍵本体部における前記厚み方向の寸法よりも小さく、かつ、前記複数の鍵ブロックのうちの少なくとも１つの鍵ブロックの前記接続部は、前記鍵本体部の前記厚み方向における最下部より上に設けられていることを特徴としている。
【発明の効果】
【０００８】
本発明によれば、撓み変形可能な接続部によって鍵を支持する構成において、がたつきを抑えて、円滑に押鍵操作をすることができる。
【図面の簡単な説明】
【０００９】
【図１】本実施形態の鍵盤楽器の外観を示す上面図である。
【図２】鍵盤楽器の内部構成の一部を示した要部斜視図である。
【図３】本実施形態の鍵ユニットと鍵ユニットを個々の鍵ブロックに分解した状態とを示した平面図である。
【図４】（ａ）は、接続部に突出部を設けない場合の接続部周辺を拡大した要部斜視図であり、（ｂ）は、（ａ）に示す鍵ブロックの側面図である。
【図５】（ａ）は、接続部に突出部を設けない場合の押鍵時の鍵の動作を示す側面図であり、（ｂ）は、（ａ）に示す鍵の接続部周辺の拡大側面図である。
【図６】（ａ）は、接続部に突出部を設けた場合の接続部周辺を拡大した要部斜視図であり、（ｂ）は、（ａ）に示す鍵ユニットの側面図である。
【図７】本実施形態の鍵ユニットにおいて重なり合いを生じる部分を示した平面図である。
【図８】（ａ）は、接続部に突出部を設けない場合における各部の寸法を示す説明図であり、（ｂ）は、接続部に突出部を設けた場合における各部の寸法を示す説明図である。
【図９】接続部に突出部を設けた場合の一変形例における各部の寸法を示す説明図である。
【発明を実施するための形態】
【００１０】
図１から図８（ｂ）及び図８（ａ）を参照しつつ、本発明に係る鍵ユニット及びこれを備える鍵盤楽器の一実施形態について説明する。
本実施形態において、鍵盤楽器１００は、例えば電子ピアノやキーボード等の電子鍵盤楽器である。
なお、以下に述べる実施形態には、本発明を実施するために技術的に好ましい種々の限定が付されているが、本発明の範囲を以下の実施形態及び図示例に限定するものではない。
【００１１】
図１は、本実施形態における鍵盤楽器の上面図である。
図１に示すように、鍵盤楽器１００は、鍵ユニット１と、鍵ユニット１が取り付けられる鍵盤シャーシ２とを備えている。
鍵ユニット１は、例えば１オクターブ分の鍵３を１セットとしており、鍵盤シャーシ２には、複数の鍵ユニット１が取り付けられ、鍵盤楽器１００の鍵盤を構成するようになっている。
なお、１つの鍵ユニット１にいくつの鍵３を備えるか等は図示例に限定されず、適宜決められる。
【００１２】
本実施形態では、鍵ユニット１及び鍵盤シャーシ２は、楽器ケース１０１の内部に収容されている。
楽器ケース１０１内には、鍵盤楽器１００における発音動作等を制御するための図示しない基板や、スピーカ等が収容されている。
また、図示は省略するが、楽器ケース１０１の上面等には、鍵盤楽器１００の音量や音色等の各種機能を選択指定する複数のスイッチ等を有する図示しない操作スイッチ部が設けられている。
【００１３】
図２は、鍵盤楽器の内部構成の一部を示した要部斜視図であり、図３は、鍵ユニットを個々の鍵ブロックに分解した状態とこれを組み付けた状態とを示した平面図である。なお、図３の右側に示す図は透過図であり、実際には外観に現れない陰線も実線として示している。
また、図４（ａ）は、本実施形態の一態様における鍵ブロックの接続部周辺の要部拡大斜視図であり、図４（ｂ）は、図４（ａ）に示す鍵ブロックの側面図である。
さらに、図５（ａ）は、押鍵時における鍵の変位の様子を示す側面図であり、図５（ｂ）は、図５（ａ）における接続部周辺を拡大した要部側面図である。
【００１４】
図２に示すように、鍵盤シャーシ２において鍵盤楽器１００における奥側（背面側、図２において左側）には、鍵ユニット１が取り付けられるユニット取り付け部２１が設けられている。本実施形態では、鍵ユニット１の支持部１１をユニット取り付け部２１にねじ１２により固定するようになっている。
図２では、鍵盤シャーシ２のユニット取り付け部２１に１つの鍵ユニット１が取り付けられている状態を図示している。
また、鍵盤シャーシ２において鍵盤楽器１００における手前側（図２において右側）の下側面には、鍵ユニット１を構成する各鍵３に対応して鍵本体部３１が揺動した際にその上下動をガイドする鍵ガイド部２２が立設されている。本実施形態では、この鍵ガイド部２２は、後述するガイド受け部３５（図５（ａ）参照）内に受け入れられ、鍵本体部３１の上下動をガイドする。
【００１５】
本実施形態において、鍵ユニット１は、図３に示すように、３つの鍵ブロック１０（１０ａ，１０ｂ，１０ｃ）を備えている。
各鍵ブロック１０は、それぞれ鍵本体部３１と接続部３２とを有する複数の鍵３と、複数の鍵３の鍵本体部３１が接続部３２を介して支持される支持部１１とを有している。
支持部１１は、接続部３２を介して複数の鍵本体部３１を一体的に支持するものであり、各鍵ブロック１０は、支持部１１において互いに重ね合わされて、ねじ止め等により一体化され、鍵ユニット１を構成する。
【００１６】
本実施形態において、鍵ブロック１０ａは、鍵３のうち白鍵３ａで構成されるブロックであり、鍵盤における「Ｂ１鍵」「Ｇ１鍵」「Ｅ１鍵」「Ｃ１鍵」がそれぞれほぼ１鍵分の隙間をあけて互いにほぼ並行に設けられている。
また、鍵ブロック１０ｂは、鍵３のうち白鍵３ａで構成されるブロックであり、鍵盤における「Ａ１鍵」「Ｆ１鍵」「Ｄ１鍵」がそれぞれほぼ１鍵分の隙間をあけて互いにほぼ並行に設けられている。
さらに、鍵ブロック１０ｃは、鍵３のうち黒鍵３ｂで構成されるブロックであり、鍵ブロック１０ａ、鍵ブロック１０ｂ同様、各鍵がそれぞれほぼ１鍵分の隙間をあけて互いにほぼ並行に設けられている。
鍵ブロック１０（１０ａ，１０ｂ，１０ｃ）は、いずれも、鍵本体部３１と接続部３２と支持部１１とが樹脂等により一体的に成形された部材である。
本実施形態において、これら複数の鍵ブロック１０は、それぞれの鍵ブロック１０が支持部１１において複数の鍵本体部３１を支持する位置が互いにずれている状態で、それぞれの鍵ブロック１０における支持部１１が互いに鍵本体部３１の押離方向である厚み方向に重なるように配置されている。
【００１７】
図２から図４等に示すように、各鍵３（３ａ，３ｂ）の鍵本体部３１は、天面がほぼ平面となっており、長手方向の一端側に押離操作される作用部３１１を有している。作用部３１１とは、ユーザ（演奏者）が押鍵操作をする部分である。
また、図５（ａ）に示すように、鍵本体部３１の先端寄りの裏面側であって、鍵盤シャーシ２の鍵ガイド部２２に対応する位置には、鍵ガイド部２２を受けるガイド受け部３５が設けられており、ガイド受け部３５に鍵ガイド部２２が受け入れられることで、鍵本体部３１が鍵３の押離方向（すなわち、上下方向）に沿ってガイドされる。
【００１８】
接続部３２は、各鍵３の鍵本体部３１における長手方向他端側（すなわち、作用部３１１の設けられている側とは逆側の端部側）にそれぞれ設けられている。
接続部３２における厚み方向の寸法は、鍵本体部３１における厚み方向の寸法よりも小さく形成されている。具体的には、接続部３２は、鍵本体部３１と比べて薄肉に形成された平板状の部分であり、鍵本体部３１の押離方向に沿って撓み変形可能であるヒンジ状の部分となっている。
また、複数の鍵ブロック１０のうちの少なくとも１つの鍵ブロック１０の接続部３２は、鍵本体部３１の厚み方向における最下部よりも上に設けられている。
本実施形態では、接続部３２における鍵本体部３１の側の厚み方向の寸法は、鍵本体部３１における接続部３２の側の厚み方向の寸法よりも小さく形成されており、かつ、複数の鍵ブロック１０のうちの少なくとも１つの鍵ブロック１０の接続部３２は、鍵本体部３１の厚み方向における中央よりも天面側に設けられている。
なお、本実施形態においては、全ての鍵ブロック１０ａ〜１０ｃに設けられる全ての接続部３２が、鍵本体部３１の天面側に設けられている例を示している。
【００１９】
このように、接続部３２を鍵本体部３１の天面側に設けることにより、接続部３２を鍵本体部３１の下面側に設けた場合と比べて、押鍵時における鍵３のがたつきを押さえることができる。
すなわち、前述のように、鍵盤シャーシの上面には鍵をガイドする鍵ガイド部２２が設けられており、この鍵ガイド部２２が鍵３を下側から支持している。この場合に、鍵３の基端側（取り付け側）に位置する接続部３２を鍵本体部３１の下側に配置すると、鍵３の長手方向の前後いずれとも低い位置で支持されることとなり、鍵本体部３１の先端側が鍵ガイド部２２の上に浮かぶように乗っている状態となる。このため、鍵３が安定しにくく、幅方向のがたつきが発生しやすくなる。
これに対して、接続部３２を鍵本体部３１の天面側に設けた場合には、鍵３の上側に配置される接続部３２と下側に配置される鍵ガイド部２２とで鍵３を支持することができ、軸線が多少上に上がるとともに、斜めになるため、がたつきの発生を若干軽減することが期待できる。
【００２０】
なお、本実施形態では、接続部３２における支持部１１への接続側が幅広部３２２となっており、接続部３２の幅方向の寸法が鍵本体部３１の幅方向の寸法よりも大きく形成されている。
具体的には、図２から図４等に示すように、本実施形態の接続部３２における幅広部３２２は、支持部１１への接続側が二又に分岐しており、広い範囲で支持部１１と接続されている。
接続部３２の幅方向の寸法を大きくすることで、押鍵時において、鍵３が幅方向に捩じれたり歪んだりすることを防止して、適切に押鍵操作を行うことができ、演奏者（ユーザ）にも違和感を与えにくくなる。
なお、本実施形態では、幅広部３２２の形状として、二又に分かれた形状を例示したが、幅広部３２２の形状・構成は図示例に限定されない。例えば、幅広部３２２は三又以上に分かれていてもよいし、特に二又等に分岐させずに単に幅広の部を設けてもよい。なお、後述するように、複数の鍵ブロック１０を厚み方向に重畳した際に上側の鍵ブロック１０の鍵３に対する押鍵操作が下側の鍵ブロック１０に影響を与えるのを極力防ぐために、幅広部３２２を二又に分かれた形状等として、幅を確保しつつもできるだけ隙間を設ける構成とすることが好ましい。
【００２１】
また、本実施形態の接続部３２は、支持部１１の側の厚みよりも鍵本体部３１の側の厚みが厚くなるように形成されている。
押鍵時には、接続部３２が撓むことで鍵３の先端側（作用部の設けられている側）が下方に回動するが、例えば、接続部３２における支持部１１の側の厚みと鍵本体部３１の側の厚みとが同じである場合には、支持部１１の側に近い側において接続部３２が撓み変形する場合と、鍵本体部３１に近い側において接続部３２が撓み変形する場合とがあり、接続部３２が撓み変形する位置が安定しない。つまり、複数の鍵本体部３１のそれぞれにおいて押鍵操作に応じた鍵本体部３１の回転中心（仮想回転中心）の奥行き方向の位置がばらつくことになり、鍵３毎に操作感が異なってしまう。
また、鍵本体部３１に近い側において接続部３２が撓み変形すると、鍵本体部３１の変位量が大きくなり、押鍵操作が安定しない。このため、できるだけ鍵本体部３１から離れた、支持部１１との接続側に近い部分で接続部３２が撓み変形することが好ましい。
【００２２】
この点、接続部３２の厚みを、支持部１１に近い側よりも鍵本体部３１に近い側が厚くなるようにすることで、複数の鍵本体部３１の接続部３２を支持部１１に近い側において撓み変形させることができる。これにより、鍵本体部３１の変位量が比較的小さく抑えられる位置で接続部３２が撓み変形し、押鍵操作が安定するとともに、押鍵操作に応じた鍵本体部３１の仮想回転中心の奥行き方向の位置のばらつきを低減することができる。
また、上記のように、接続部３２における支持部１１の側の横幅は鍵本体部３１の横幅よりも広くなっているために、鍵本体部３１の横方向の捩れに対する強度を増すことができるが、接続部３２における鍵本体部３１の側の横幅は鍵本体部３１の横幅よりも広くすることができない。この点、接続部３２における鍵本体部３１の側については、その厚み方向の寸法を大きくすることで鍵本体部３１の横方向の捩れに対する強度を増すことができる。
【００２３】
図５（ａ）は、鍵ユニット１の側面図であり、３つの鍵ブロック１０（１０ａ，１０ｂ，１０ｃ）を、それぞれの支持部１１（１１ａ，１１ｂ，１１ｃ）が鍵本体部３１の押離方向である厚み方向に各々重なるように配置して、ねじ１２によって支持部１１（１１ａ，１１ｂ，１１ｃ）をねじ止めし、一体化した状態を示している。
図５（ａ）では、鍵３に外力がかけられていない初期状態を実線で示し、演奏者（ユーザ）に押鍵操作が行われて鍵３が押し込まれた状態を二点鎖線で示している。
なお、実際には、鍵盤楽器１００において初期状態ではわずかに鍵３の先端部が上方に傾いている状態となっているのが通例であるが、ここでは説明の簡素化のため、初期状態を水平として表現している。
【００２４】
図５（ｂ）は、図５（ａ）における接続部３２の周辺を拡大した要部側面図である。
図５（ａ）及び５（ｂ）に示すように、押鍵操作時には、鍵本体部３１の変位（回動）に伴い、接続部３２が下方向に屈曲する。接続部３２の屈曲の程度は、鍵本体部３１の側に近づけば近づくほど大きくなる。
本実施形態では、複数の鍵本体部３１のそれぞれにおいて押鍵操作に応じた鍵本体部３１の回転中心（仮想回転中心）の高さ方向の位置のばらつきを低減して鍵３毎の操作感を同じにするため、接続部３２における支持部１１の側の厚み方向の寸法をなるべく小さくするとともに、複数の鍵ブロック１０（１０ａ，１０ｂ，１０ｃ）を支持部１１（１１ａ，１１ｂ，１１ｃ）が重なるように厚み方向に層状に配置する際の間隔をなるべく小さくしている。
また、このとき、接続部３２を支持部１１の側から鍵本体部３１の側へと、鍵本体部３１の天面に対して水平に伸ばすようにした場合、複数の鍵ブロック１０で鍵本体部３１の高さを揃えるためには、鍵本体部３１の厚み方向に対して接続部３２を設ける位置についても、複数の鍵ブロック１０で異ならせる必要があり、本実施形態では、基本的には、より上側に支持部１１が重ねられる鍵ブロック１０の接続部３２の方が、より下側に支持部１１が重ねられる鍵ブロック１０の接続部３２よりも、鍵本体部３１の厚み方向に対してより上側に設けるようにし、その接続部３２を設ける位置の差を、支持部１１が重ねられる間隔と同じにしている。
【００２５】
しかしながら、接続部３２における支持部１１の側の横幅を鍵本体部３１の横幅よりも広くしているため、一番上に配置される鍵ブロック１０ａの鍵３が押鍵されて接続部３２が下方に撓むと、その下に配置されている鍵ブロック１０（１０ｂ，１０ｃ）の鍵３（鍵３ｂ，３ｃ）の接続部３２と干渉し合うおそれがある。
また、接続部３２における支持部１１の側については、撓みの量が比較的に小さいのでよいが、接続部３２における鍵本体部３１の側は、撓みの量が比較的に大きく、その厚み方向の寸法を支持部１１の側よりも大きくしているため、干渉を防ぐために、複数の鍵本体部３１を支持部１１で層状して配置する際の間隔をより広くとる必要がある。
【００２６】
そこで、本実施形態では、複数の鍵ブロック１０において、鍵本体部３１の厚み方向に対して接続部３２を設ける位置の差を、支持部１１が重ねられる間隔よりも大きくとるようにしている。
つまり、接続部３２を支持部１１の側から鍵本体部３１の側へと、鍵本体部３１の天面に対して水平に伸ばしていき、鍵本体３１と接続する部分に近い位置で、接続部３２の厚み方向の寸法を大きくするとともに、その伸びる方向を水平に対して上又は下に曲げてから鍵本体部３１に接続するようにしている。
より具体的には、接続部３２が鍵本体部３１と接続する部分に近い位置で曲がる方向を、より上側に支持部１１が重ねられる鍵ブロック１０の接続部３２の方が、より下側に支持部１１が重ねられる鍵ブロック１０の接続部３２よりも、より上側に曲がるようにした。
別の言い方をすると、接続部３２が鍵本体部３１と接続する部分に近い位置において、より上側に支持部１１が重ねられる鍵ブロック１０の接続部３２の下側と、より下側に支持部１１が重ねられる鍵ブロック１０の接続部３２の上側との間隔がより広くなるように、それぞれの鍵ブロック１０において、接続部３２が鍵本体部３１と接続する部分に近い位置で曲がる方向を異ならせるようにした。
【００２７】
さらに、図６（ａ）及び図６（ｂ）に示すように、より上側に支持部１１が重ねられる鍵ブロック１０の接続部３２のうち、少なくとも一部は、支持部１１との連結部分よりも厚み方向の上側に突出するとともに、鍵本体部３１の天面よりも高い位置に配置される突出部３２１となっている。
接続部３２に突出部３２１を設けることで、接続部３２が上に上がった分だけ、接続部３２の下に配置されている構成部との間のクリアランスを稼ぐことができ、二番目、三番目に配置される鍵ブロック１０（１０ｂ，１０ｃ）の鍵３（鍵３ｂ，３ｃ）と干渉し合うおそれを回避することができる。
なお、鍵ユニット１を構成する鍵ブロック１０（１０ａ，１０ｂ，１０ｃ）のうち、厚み方向の最も上側に配置される支持部１１（１１ａ）と接続されている接続部３２の撓みが、下方に配置される鍵ブロック１０の鍵３各部と干渉する可能性が最も大きいため、厚み方向の最も上側に配置される支持部１１（１１ａ）と接続されている接続部３２のうちの少なくとも一部は、突出部３２１を備えていることが好ましい。
【００２８】
図７は、図３において右側に示した鍵ユニットの平面図の一部を拡大したものである。
図７において、接続部３２の撓みが下方に配置される鍵ブロック１０の接続部３２等の鍵３各部と干渉する可能性のある領域を干渉領域３２３ａ，３２３ｂとして示している。
干渉領域３２３ａ，３２３ｂは、接続部３２が配置される全範囲ではなく、図７に示すように、限定的な領域である。
すなわち、例えば図示例において、Ｅ１鍵と隣接する黒鍵（Ｄ＃鍵）との間で干渉の可能性があるのは干渉領域３２３ａの部分であり、Ｃ１鍵とＤ１鍵とのとの間で干渉の可能性があるのは干渉領域３２３ｂの部分である。
なお、Ｃ１鍵と隣接するＣ＃鍵の接続部３２が重なり合う可能性のある部分は一番上の鍵３（３ａ）と一番下の鍵３（３ｃ）であり、その間には大きなクリアランスが存在しているため本構造においてはほとんど干渉の問題はない。
このため、図７に示す構成の場合には、干渉を避けるための突出部３２１は、少なくともこの干渉領域３２３ａ，３２３ｂにかかる部分に設けられていればよく、例えば厚み方向に配置される鍵ブロック１０ａに設けられる全ての接続部３２に突出部３２１を設けなくてもよい。
このように、具体的に、いずれの接続部３２にそのような範囲・形状の突出部３２１を設けるかは設計事項であり、鍵ユニット１を構成する鍵ブロック１０（１０ａ，１０ｂ，１０ｃ）の構成や形状、接続部３２の形状・構成等に応じて適宜決められる。
【００２９】
次に、図８（ｂ）及び図８（ａ）を参照しつつ、本実施形態における鍵ユニット１及びこれを備える鍵盤楽器１００の作用について説明する。
図８（ｂ）は、接続部を鍵本体部の天面側に設け、かつ接続部に突出部を設けた場合の鍵ユニットの側面図であり、図８（ａ）は、接続部を鍵本体部の天面側に設けた場合の鍵ユニットの側面図である。
【００３０】
図８（ｂ）及び図８（ａ）のいずれの場合も、接続部３２を鍵本体部３１の天面側に設けていることにより、鍵盤シャーシ２側の鍵ガイド部２２と接続部３２とにより、鍵本体部３１を上面側と下面側とから支持することができ、鍵３の幅方向への捩じれや歪み等を防いで安定した押鍵操作を行うことができる。
また、本実施形態では、さらに図８（ｂ）に示すように接続部３２に突出部３２１を設けている。これにより、突出部３２１を設けていない図８（ａ）の場合と比較してさらに優れた効果を期待することができる。
以下、図８（ｂ）及び図８（ａ）について、各部の数値例を挙げながら説明する。
【００３１】
まず、突出部３２１を設けた場合と、設けていない場合とにおける、厚み方向の最も上側に配置される支持部１１（１１ａ）と接続されている接続部３２（３２ａ）と厚み方向の最も下側に配置される支持部１１（１１ｃ）と接続されている接続部３２（３２ｃ）との距離（高さの差）について説明する。
ここで、図示例では、接続部３２における支持部１１との接続部分の厚みＤ１＝１．０ｍｍとし、接続部３２における鍵本体部３１との接続部分の厚みＤ２＝２．５ｍｍとする。
また、押鍵時の鍵３（３ａ）の撓みによる接続部３２の下降量Ｄ３が鍵本体部３１との接続部分において０．５ｍｍ、その際、上下方向に隣接する鍵３（３ｂ）の接続部３２（３２ｂ）とのクリアランスＤ４を１．０ｍｍ確保すると仮定した場合についてシミュレーションを行うと、以下のようになる。
なお、図８（ｂ）及び図８（ａ）において、押鍵前の接続部３２の位置を実線にて示し、押鍵によって撓んだ際の接続部３２の位置を二点鎖線にて示す。
【００３２】
この場合、図８（ａ）に示すように、接続部３２が支持部１１との連結部分とほぼ同じ高さであり、鍵本体部３１の天面ともほぼ同じ高さである場合、厚み方向の最も上側に配置される支持部１１（１１ａ）と接続されている接続部３２（一段目の接続部３２ａ）については、「厚みＤ２＝２．５ｍｍ」＋「撓みによる想定下降量Ｄ３＝０．５ｍｍ」＋「クリアランスＤ４＝１．０ｍｍ」としたとき、Ｄ５＝４．０ｍｍであり、鍵本体部３１の天面から４．０ｍｍ下がった位置が二段目の鍵ブロック１０（１０ｂ）の接続部３２（３２ｂ）の上面となる。
同様にしてこの接続部３２（３２ｂ）の上面から４．０ｍｍ下がったところが三段目の鍵ブロック１０（１０ｃ）の接続部３２（３２ｃ）の上面となる。そして、三段目の接続部３２（３２ｃ）の厚みが一段目の接続部３２ａと同様に１．０ｍｍであるとすると、三つの接続部３２（３２ａ，３２ｂ，３２ｃ）が専有する高さＤ６は９．０ｍｍとなる。
【００３３】
ここで、接続部３２による鍵３の回転（押鍵時における押鍵方向への回動）の中心（これを「仮想中心」又は「仮想回転中心」とする。）が接続部３２の厚み方向における中央部にあると仮定すると、一段目の鍵３（３ａ）の回動の仮想中心から三段目の鍵３（３ｃ）の仮想中心までは８．０ｍｍ離れていることとなる。
なお、実際には、本実施形態のようにヒンジ状の接続部３２が撓み変形することで鍵３が押離方向に回動する場合には、回転中心は特定の位置には存在せず、しかも押鍵による角度変化に伴って回転中心は逐次微妙に変化していく。このため、ここにいう回転中心はあくまでも仮想点とする。
【００３４】
以上に対して、図８（ｂ）に示すように、接続部３２に支持部１１との連結部分よりも厚み方向の上側に突出するとともに、鍵本体部３１の天面よりも高い位置に配置される突出部３２１が設けられている場合には、以下のようになる。なお、図８（ｂ）に示す例では、図８（ａ）に示した例と同様に、ヒンジ厚みＤ１＝１．０ｍｍとする。
例えば、接続部３２（３２ａ）の上面を鍵本体部３１（３１ａ）の天面よりも１．５ｍｍ上方向に移動（突出）させて（Ｄ７＝１．５ｍｍ）、突出部３２１としている。
図８（ｂ）に示すように、厚み方向の最も上側に配置される支持部１１（１１ａ）と接続されている接続部３２（一段目の接続部３２ａ）については、「Ｄ７＋Ｄ８＝接続部３２ａの厚み＝２．５ｍｍ」＋「撓みによる想定下降量＝０．５ｍｍ」＋「クリアランスＤ４＝１．０ｍｍ」としたとき、接続部３２ａが下降する場合の起点となる位置が１．５ｍｍ高い位置にあるため、「４．０ｍｍ−１．５ｍｍ＝２．５ｍｍ」となり、差し引き２．５ｍｍ下までしか下降しない。
このため、二段目の鍵ブロック１０（１０ｂ）の接続部３２（３２ｂ）の上面は、一段目の接続部３２ａの上面から２．５ｍｍ下がったところに配置すればよく、一段目の接続部３２ａの上面に突出部３２１を設けて高さを１．５ｍｍだけ高くした分、上下に重なり合う接続部３２の隙間を狭くすることができる。
【００３５】
これにより、一段目の接続部３２ａの突出部３２１の上面から一番下の三段目の接続部３２（３２ｃ）の下面までの高さ（厚み）は図８（ａ）と同様に９．０ｍｍであるが（Ｄ９＝９．０ｍｍ）、一段目の接続部３２ａの上面から一番下の三段目の接続部３２（３２ｃ）の下面までの高さ（厚み）は７．５ｍｍの厚みとなる（Ｄ１０＝７．５ｍｍ）。
そして、図８（ａ）の場合と同様に仮想中心を設定した場合、一段目の鍵３（３ａ）の回動の仮想中心から三段目の鍵３（３ｃ）の仮想中心までは６．５ｍｍ離れていることとなり、仮想中心の位置で比較しても突出部３２１を設けない場合と比較して、一段目の鍵ブロック１０（１０ａ）から三段目の鍵ブロック１０（１０ｃ）までの距離を１．５ｍｍ分近づけることができる。
このように、突出部３２１を設けることにより、鍵ブロック１０（１０ａ〜１０ｃ）同士をより近接させて設けることができ、鍵ユニット１をよりコンパクトに構成することができる。
【００３６】
以上のように、本実施形態によれば、長手方向一端側に作用部３１１を有する複数の鍵本体部３１における長手方向他端側であって鍵本体部３１の天面側にそれぞれ設けられ、鍵本体部３１の押離方向に沿って撓み変形可能である接続部３２と、接続部３２を介して複数の鍵本体部３１を各々押離方向に沿って揺動可能に支持する支持部１１とを備える鍵ブロック１０を、支持部１１が鍵本体部３１の押離方向である厚み方向に各々重なるように配置して鍵ユニット１を構成している。
このように接続部３２を鍵本体部３１の天面側に設けることにより、鍵盤シャーシ２側の鍵ガイド部２２と接続部３２とにより、鍵本体部３１を上面側と下面側とから支持することができ、押鍵操作が行われた際に、鍵３の幅方向への捩じれや歪み等を生じにくく、安定した押鍵操作を行うことができる。
【００３７】
また、本実施形態では、接続部３２のうち、少なくとも一部は、支持部１１との連結部分よりも厚み方向の上側に突出するとともに、鍵本体部３１の天面よりも高い位置に配置される突出部３２１となっている。
このように、接続部３２に突出部３２１を設けることにより、撓み変形する部分である接続部３２において高さ方向のクリアランスを稼ぐことができ、できるだけコンパクトに組み込み鍵ユニット１の小型化を実現しつつ、他の鍵３等との干渉を回避することができる。
そして、高さ方向のクリアランスを確保できることにより、厚み方向に重ねられた鍵ブロック１０（１０ａ，１０ｂ，１０ｃ）の鍵３の接続部３２について干渉を生じずに距離を近付けることができるようになるため、仮想点である鍵ブロック１０（１０ａ，１０ｂ，１０ｃ）の鍵３の回転中心（回動中心）についても高さ方向の距離を近づけることができる。このため、鍵３の回転中心が高さ方向にばらつくことを抑えて、鍵３の回転中心の高さ方向のばらつきに起因する違和感を抑えて、演奏者（ユーザ）がより円滑に演奏を行うことが可能となる。
【００３８】
また、本実施形態では、厚み方向の最も上側に配置される支持部１１（１１ａ）と接続されている接続部３２（３２ａ）のうち、少なくとも一部は、突出部３２１を備えている。
このように、特に下の段の鍵ブロック１０を構成する鍵３との干渉が問題となる接続部３２である最も上側に配置される接続部３２に突出部３２１を設けることにより、より効果的に、厚み方向のコンパクト化を実現することができる。
【００３９】
また、本実施形態では、接続部３２は、その幅方向の寸法が鍵本体部３１の幅方向の寸法よりも大きく形成されている。
このように、接続部３２の幅方向の寸法を大きくすることで鍵本体部３１をより安定して支持部１１に連結させることができ、押鍵操作が行われた際に鍵３が捩じれたり歪んだりすることを防止することができる。これにより、薄板状の接続部３２によって鍵本体部３１を支持させる場合でも、演奏者（ユーザ）にとって違和感のない安定した押鍵操作を実現することができる。
【００４０】
また、本実施形態では、接続部３２は、支持部１１側の厚みよりも鍵本体部３１側の厚みが厚くなるように形成されている。
押鍵操作が行われた際、鍵本体部３１に近い側が屈曲するほど接続部３２の変位が大きくなり、周囲に位置する他の鍵３への干渉のおそれが大きくなる。
この点、支持部１１側の厚みよりも鍵本体部３１側の厚みが厚くした場合には、鍵本体部３１に近い側が屈曲しにくく、できるだけ支持部１１との連結部分に近い位置で接続部３２が屈曲するため、変位量を少なく抑えることができる。
【００４１】
そして、上記のような鍵ユニット１と、鍵ユニット１が取り付けられる鍵盤シャーシ２とを鍵盤楽器１００に設けることにより、鍵３同士の干渉を防いで円滑な演奏を可能とするとともに、鍵盤楽器１００内部に収容される構成部をできる限り小型化することができる。
【００４２】
なお、以上本発明の実施形態について説明したが、本発明は、かかる実施形態に限定されず、その要旨を逸脱しない範囲で、種々変形が可能であることは言うまでもない。
【００４３】
例えば、本実施形態では、鍵ユニット１を構成する全ての鍵ブロック１０の鍵３の接続部に突出部３２１を設ける場合を例示したが、突出部３２１は、支持部１１が最も上に配置される一段目の鍵ブロック１０ａの鍵に設けられる接続部３２のみに設けられてもよい。
また、突出部３２１の形状や突出の程度は特に限定されず、さらに大きく上側に突出していてもよい。
また、支持部１１を接続部３２や鍵本体部３１の天面の高さよりも低い位置に配置されるように、接続部３２において鍵３が山折に折れ曲がるような形状となっていてもよい。
【００４４】
また、例えば、本実施形態の構成に加えて、さらに一番下に配置される鍵ブロック１０（１０ｃ）の接続部３２（３２ｃ）において、一番上に配置される鍵ブロック１０（１０ａ）の接続部３２（３２ａ）とは逆に、接続部３２における支持部１１との連結部分よりも接続部３２の鍵本体部３１との接続部分の上面の高さを下げるように構成してもよい。
この場合、接続部３２の上面の高さを下げた寸法分だけ、上側に配置される接続部３２（３２ａ，３２ｂ）等との干渉を回避するためのクリアランスを得ることができ、さらに効果的に干渉回避の効果を得ることができる。
【００４５】
本実施形態のように、ヒンジ状の接続部３２にて支持部１１と鍵本体部３１とを連結させた鍵ユニット１においては、押鍵操作の際の鍵３の回転中心（ただし、回転中心は前述の通りあくまでも仮想点であり、押鍵の位置等に伴って若干の移動を伴う。）の高さによって鍵３の回動動作の状況が微妙に異なり、このばらつきが演奏者（ユーザ）にとって演奏の際の違和感の元となる。
この点、上記の構成とした場合には、一段目から三段目の鍵ブロック１０の各鍵３における仮想の回転中心の高さ方向の位置のずれが少なくなるため、回転中心の高さ方向のばらつきに起因する演奏者の違和感を大きく緩和することができる。
なお、本実施形態で示した構成では、三段目の鍵ブロック１０（１０ｃ）は黒鍵３ｂのブロックであり、元々押鍵時の操作位置が他の白鍵３ａとは異なるため、上記のような演奏者の感じる違和感はあまり生じない。
したがって、本実施形態で示した構成では一段目及び三段目の鍵ブロック１０ａ，１０ｂの各白鍵３ａ間において仮想の回転中心の高さ方向の位置のずれ（高さ方向の差）を極力少なくすることが最も重要であると考えられる。
【００４６】
また、鍵ブロック１０の配置について、例えば一段目に白鍵３ａの鍵ブロック１０、二段目に黒鍵３ｂの鍵ブロック１０、三段目に白鍵３ａの鍵ブロック１０という順序で重ね合わせて鍵ユニット１を構成する場合、あるいは、一段目に黒鍵３ｂの鍵ブロック１０、二段目に白鍵３ａの鍵ブロック１０、三段目に白鍵３ａの鍵ブロック１０という順序で重ね合わせて鍵ユニット１を構成する場合には、上記に例示する構成のみならず、三段目の鍵ブロック１０を構成する鍵３の回転中心の高さもできるだけ、他の鍵３の回転中心と離れないようにすることが重要となる。
【００４７】
図９では、一番下の三段目の鍵ブロックの鍵３において、支持部１１との連結部分の接続部３２の高さを鍵本体部３１との接続部分における接続部３２の高さよりも０．５ｍｍ上方向に移動させた例を示している。
図９に示す例では、一番上の一段目の鍵ブロック１０の鍵３の接続部３２の上面（最上面）から一番下の三段目の鍵ブロック１０の鍵３の接続部３２の下面（最下面）までの距離Ｄ１１は７．０ｍｍとなっており、図８（ｂ）に示した例よりも０．５ｍｍ分、厚み方向の高さが減少している。
この場合において、仮想中心を設定した場合、一段目の鍵３（３ａ）の回動の仮想中心から三段目の鍵３（３ｃ）の仮想中心までの距離は６．０ｍｍとなり、仮想中心の位置で比較しても、図８（ｂ）に示した例より、一段目の鍵ブロック１０（１０ａ）から三段目の鍵ブロック１０（１０ｃ）までの距離を１．５ｍｍ分近づけることができる。
【００４８】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
長手方向の一端側に押離操作される作用部を有する複数の鍵本体部と、
前記複数の鍵本体部における前記長手方向の他端側にそれぞれ設けられ、前記鍵本体部の押離方向に沿って撓み変形可能である接続部と、
前記接続部を介して前記複数の鍵本体部を一体的に支持する支持部と、
を有する鍵ブロックを複数備え、
複数の前記鍵ブロックのそれぞれが、前記支持部において前記複数の鍵本体部を支持する位置が互いにずれている状態で、前記支持部が互いに前記鍵本体部の前記押離方向である厚み方向に重なるように配置されており、
前記接続部における前記厚み方向の寸法は、前記鍵本体部における前記厚み方向の寸法よりも小さく、かつ、前記複数の鍵ブロックのうちの少なくとも１つの鍵ブロックの前記接続部は、前記鍵本体部の前記厚み方向における最下部より上に設けられていることを特徴とする鍵ユニット。
＜請求項２＞
前記接続部における前記鍵本体部の側の前記厚み方向の寸法は、前記鍵本体部における前記接続部の側の前記厚み方向の寸法よりも小さく、かつ、複数の前記鍵ブロックのうちの少なくとも１つの鍵ブロックの前記接続部は、前記鍵本体部の前記厚み方向における中央よりも天面側に設けられていることを特徴とする請求項１に記載の鍵ユニット。
＜請求項３＞
複数の前記鍵ブロックのうち、少なくとも前記支持部が最も上側に重ねられる鍵ブロックの前記接続部は、前記鍵本体部の天面と同じ高さ、または前記鍵本体部の天面よりも高い位置に設けられていることを特徴とする請求項１又は請求項２に記載の鍵ユニット。
＜請求項４＞
複数の前記鍵ブロックにおいて、前記鍵本体部の前記厚み方向に対して前記接続部を設ける位置の差は、複数の前記鍵ブロックにおいて、前記支持部を前記厚み方向に重ねる間隔よりも広いことを特徴とする請求項１から請求項３のいずれか一項に記載の鍵ユニット。
＜請求項５＞
前記接続部のうち、少なくとも一部は、前記支持部との連結部分よりも前記厚み方向の上側に突出するとともに、前記鍵本体部の天面よりも高い位置に配置される突出部となっていることを特徴とする請求項１から請求項４のいずれか一項に記載の鍵ユニット。
＜請求項６＞
前記厚み方向の最も上側に配置される前記支持部と接続されている前記接続部のうち、少なくとも一部は、前記突出部を備えていることを特徴とする請求項５に記載の鍵ユニット。
＜請求項７＞
前記接続部は、その幅方向の寸法が前記鍵本体部の幅方向の寸法よりも大きく形成されていることを特徴とする請求項１から請求項６のいずれか一項に記載の鍵ユニット。
＜請求項８＞
前記接続部は、前記支持部側の厚みよりも前記鍵本体部側の厚みが厚くなるように形成されていることを特徴とする請求項１から請求項７のいずれか一項に記載の鍵ユニット。
＜請求項９＞
請求項１から請求項８のいずれか一項に記載の鍵ユニットと、
前記鍵ユニットが取り付けられる鍵盤シャーシと、
を備えることを特徴とする鍵盤楽器。
【符号の説明】
【００４９】
１      鍵ユニット
２      鍵盤シャーシ
３      鍵
１０    鍵ブロック
１１    支持部
３１    鍵本体部
３２    接続部
１００  鍵盤楽器
３２１  突出部
【図１】
2019061097.tif 000003
【図２】
2019061097.tif 000004
【図３】
2019061097.tif 000005
【図４】
2019061097.tif 000006
【図５】
2019061097.tif 000007
【図６】
2019061097.tif 000008
【図７】
2019061097.tif 000009
【図８】
2019061097.tif 000010
【図９】
2019061097.tif 000011